(57)【要約】【課題】ユーザに興味を持たせながら場所の巡回をさせることが可能な巡回行程を案内できる行程案内システムおよびナビゲーションシステムを提供すること。【解決手段】ナビゲーション装置１０から情報提供サーバ５０に対して観光ルート提案要求を送信すると、情報提供サーバ５０において、車両の現在地付近にゆかりのある歴史上の人物の年表に基づき、その人物に関係するイベントを発生順にまとめたストーリーに沿って、各観光場所を経由する観光ルート情報が生成される。そして、ナビゲーション装置は、この観光ルート情報を情報提供サーバ５０より受信することによって、その観光ルート情報に基づき、乗員に対してその観光ルートをＬＣＤ１８上に表示して車両の乗員に提案すると共に、その観光ルート情報により示される順番に、各観光場所への経路誘導を行う。【選択図】図１
2010236938.tif 000002
【特許請求の範囲】
【請求項１】
場所情報を格納する場所情報格納手段と、
所定の事柄毎に、その事柄に関する出来事を示す出来事情報を格納する出来事情報格納手段と、
前記所定の事柄から一の事柄を設定する事柄設定手段と、
その事柄設定手段により設定される一の事柄に対応する前記出来事情報を前記出来事情報格納手段に格納されている前記出来事情報の中から抽出する出来事情報抽出手段と、
その出来事情報抽出手段により抽出される前記一の事柄に対応する前記出来事情報に基づいて、その一の事柄に対する筋書きを生成する筋書き生成手段と、
前記場所情報格納手段に格納されている前記場所情報から抽出されると共に、前記筋書き生成手段により生成される筋書きに関連する場所の場所情報を、その筋書きに沿って配列する配列手段と、
その配列手段により配列された前記場所情報の順番に従って前記筋書き生成手段により生成される筋書きに関連する場所を巡回する行程を案内する行程案内手段とを備えることを特徴とする行程案内システム。
【請求項２】
一の領域を設定する領域設定手段と、
その領域設定手段により設定される前記一の領域に存在する場所の場所情報を前記場所情報格納手段に格納されている前記場所情報から抽出する場所情報抽出手段と、
その場所情報抽出手段により抽出された前記場所情報により示される前記一の領域に存在する場所に関連の深い事柄を抽出する事柄抽出手段とを備え、
前記事柄設定手段は、その事柄抽出手段により抽出された前記一の領域に存在する場所に関連の深い事柄を前記一の事柄として設定するものであり、
前記配列手段は、前記場所情報抽出手段により抽出された前記一の領域に存在する場所の場所情報であって、前記筋書き生成手段により生成される筋書きに関連する場所の場所情報を、その筋書きに沿って配列するものであることを特徴とする請求項１記載の行程案内システム。
【請求項３】
一の領域を設定する領域設定手段と、
その領域設定手段により設定される前記一の領域に存在する場所の場所情報を前記場所情報格納手段に格納されている前記場所情報から抽出する場所情報抽出手段と、
所定の領域毎に、その領域に関連の深い事柄を示す事柄情報を格納する事柄情報格納手段とを備え、
前記事柄設定手段は、前記領域設定手段により設定される一の領域に関連の深い事柄を示す事柄情報を前記事柄情報格納手段に格納されている前記事柄情報の中から抽出する事柄情報抽出手段を有し、その事柄情報抽出手段により抽出された事柄情報によって示される前記一の領域に関連の深い事柄を前記一の事柄として設定するものであり、
前記配列手段は、前記場所情報抽出手段により抽出された前記一の領域に存在する場所の場所情報であって、前記筋書き生成手段により生成される筋書きに関連する場所の場所情報を、その筋書きに沿って配列するものであることを特徴とする請求項１記載の行程案内システム。
【請求項４】
前記筋書き生成手段は、前記出来事情報抽出手段によって抽出される前記一の事柄に対応する前記出来事情報から関連性の強い出来事を抽出して、その関連性の強い出来事を中心に前記筋書きを生成するものであることを特徴とする請求項１から３のいずれかに記載の行程案内システム。
【請求項５】
前記出来事情報格納手段に格納されている出来事情報のうち所定の出来事情報は、その所定の出来事情報により示される出来事が更に複数の出来事に分割された分割情報を有しており、
前記筋書き生成手段は、前記出来事情報抽出手段によって前記出来事情報格納手段より抽出される前記一の事柄に対応する前記出来事情報のうち、前記分割情報を有している出来事情報により示される出来事を中心に前記筋書きを生成するものであることを特徴とする請求項１から４のいずれかに記載の行程案内システム。
【請求項６】
車両の現在位置を検出する現在位置検出手段と、
目的地を設定する目的地設定手段と、
前記現在位置検出手段により検出される前記車両の現在位置から前記目的地設定手段により設定される前記目的地までの経路を設定して出力する経路出力手段と、
場所情報を格納する場所情報格納手段と、
所定の事柄毎に、その事柄に関する出来事を示す出来事情報を格納する出来事情報格納手段と、
前記所定の事柄から一の事柄を設定する事柄設定手段と、
その事柄設定手段により設定される一の事柄に対応する前記出来事情報を前記出来事情報格納手段に格納されている前記出来事情報の中から抽出する出来事情報抽出手段と、
その出来事情報抽出手段により抽出される前記一の事柄に対応する前記出来事情報に基づいて、その一の事柄に対する筋書きを生成する筋書き生成手段と、
前記場所情報格納手段に格納されている前記場所情報から抽出されると共に、前記筋書き生成手段により生成される筋書きに関連する場所の場所情報を、その筋書きに沿って配列する配列手段と、
その配列手段により配列された前記場所情報の順番に従って前記筋書き生成手段により生成される筋書きに関連する場所を巡回ように、順次、その場所を前記目的地として前記目的地設定手段により設定されるよう制御する目的地設定制御手段とを備えることを特徴とするナビゲーションシステム。
【発明の詳細な説明】
【技術分野】
【０００１】
本発明は、行程案内システム及びナビゲーションシステムに関し、特に、ユーザに興味を持たせながら場所の巡回をさせることが可能な巡回行程を案内できる行程案内システム及びナビゲーションシステムに関するものである。
【背景技術】
【０００２】
従来より、ユーザが観光地などを訪れた際に、観光名所などの巡回行程をユーザに提案したり、ユーザに提供された行程に従って、ユーザの現在地から観光名所までの経路案内を行ったりする携帯装置（行程案内システム）が知られている（例えば、特許文献１）。
【先行技術文献】
【特許文献】
【０００３】
【特許文献１】特開２００８−５１８１８号公報
【発明の概要】
【発明が解決しようとする課題】
【０００４】
しかしながら、上述した従来の携帯装置（行程案内システム）によって提案される巡回行程は、各観光名所の位置関係に応じて、単にユーザが行きやすい順番に組まれているので、それぞれの観光名所の間で何ら関連性がない場合が多く、結果として、ユーザに物足りなさを感じさせてしまう恐れがあるという問題点があった。
【０００５】
本発明は、上述した問題点を解決するためになされたものであり、ユーザに興味を持たせながら場所の巡回をさせることが可能な巡回行程を案内できる行程案内システムおよびナビゲーションシステムを提供することを目的としている。
【課題を解決するための手段】
【０００６】
この目的を達成するために請求項１記載の行程案内システムは、場所情報を格納する場所情報格納手段と、所定の事柄毎に、その事柄に関する出来事を示す出来事情報を格納する出来事情報格納手段と、前記所定の事柄から一の事柄を設定する事柄設定手段と、その事柄設定手段により設定される一の事柄に対応する前記出来事情報を前記出来事情報格納手段に格納されている前記出来事情報の中から抽出する出来事情報抽出手段と、その出来事情報抽出手段により抽出される前記一の事柄に対応する前記出来事情報に基づいて、その一の事柄に対する筋書きを生成する筋書き生成手段と、前記場所情報格納手段に格納されている前記場所情報から抽出されると共に、前記筋書き生成手段により生成される筋書きに関連する場所の場所情報を、その筋書きに沿って配列する配列手段と、その配列手段により配列された前記場所情報の順番に従って前記筋書き生成手段により生成される筋書きに関連する場所を巡回する行程を案内する行程案内手段とを備える。
【０００７】
尚、この請求項１記載の行程案内システムは、１つの装置によって構成されるものであってもよいし、２以上の装置によって構成されるものであってもよい。例えば、車両に設けられるナビゲーション装置のみによって構成されてもよいし、その他の車載装置のみによって構成されてもよい。また、その他の移動可能な移動端末装置のみによって構成されてもよい。また、ナビゲーション装置などの移動端末装置とその移動端末装置がアクセス可能なサーバ装置とによって構成されてもよい。更に、場所情報格納手段および出来事情報格納手段の少なくとも一方を独立した別の外部記憶装置に設け、携帯端末装置と外部記憶装置、若しくは、携帯端末装置とサーバ装置と外部記憶装置によって行程案内システムを構成してもよい。
【０００８】
また、請求項１記載の「事柄」は、例えば、人物や時代、事件などを含む概念であってもよい。また、請求項１記載の「筋書き」は、例えば、一の事柄に関する出来事を発生順に並べたものであってもよい。また、一の事柄に関する出来事を関連性の強いものをまとめて並べたものであってもよいし、一の事柄に関する出来事のうち一の出来事を中心にまとめたものであってもよい。
【０００９】
請求項２記載の行程案内システムは、請求項１記載の行程案内システムにおいて、一の領域を設定する領域設定手段と、その領域設定手段により設定される前記一の領域に存在する場所の場所情報を前記場所情報格納手段に格納されている前記場所情報から抽出する場所情報抽出手段と、その場所情報抽出手段により抽出された前記場所情報により示される前記一の領域に存在する場所に関連の深い事柄を抽出する事柄抽出手段とを備え、前記事柄設定手段は、その事柄抽出手段により抽出された前記一の領域に存在する場所に関連の深い事柄を前記一の事柄として設定するものであり、前記配列手段は、前記場所情報抽出手段により抽出された前記一の領域に存在する場所の場所情報であって、前記筋書き生成手段により生成される筋書きに関連する場所の場所情報を、その筋書きに沿って配列するものである。
【００１０】
尚、請求項２記載の領域設定手段は、例えば、ユーザのいる現在位置を含む領域を設定するものであってもよいし、ユーザが指定した領域を設定するものであってもよい。
【００１１】
請求項３記載の行程案内システムは、請求項１記載の行程案内システムにおいて、一の領域を設定する領域設定手段と、その領域設定手段により設定される前記一の領域に存在する場所の場所情報を前記場所情報格納手段に格納されている前記場所情報から抽出する場所情報抽出手段と、所定の領域毎に、その領域に関連の深い事柄を示す事柄情報を格納する事柄情報格納手段とを備え、前記事柄設定手段は、前記領域設定手段により設定される一の領域に関連の深い事柄を示す事柄情報を前記事柄情報格納手段に格納されている前記事柄情報の中から抽出する事柄情報抽出手段を有し、その事柄情報抽出手段により抽出された事柄情報によって示される前記一の領域に関連の深い事柄を前記一の事柄として設定するものであり、前記配列手段は、前記場所情報抽出手段により抽出された前記一の領域に存在する場所の場所情報であって、前記筋書き生成手段により生成される筋書きに関連する場所の場所情報を、その筋書きに沿って配列するものである。
【００１２】
尚、請求項３記載の領域設定手段は、例えば、ユーザのいる現在位置を含む領域を設定するものであってもよいし、ユーザが指定した領域を設定するものであってもよい。
【００１３】
請求項４記載の行程案内システムは、請求項１から３のいずれかに記載の行程案内システムにおいて、前記筋書き生成手段は、前記出来事情報抽出手段によって抽出される前記一の事柄に対応する前記出来事情報から関連性の強い出来事を抽出して、その関連性の強い出来事を中心に前記筋書きを生成するものである。
【００１４】
請求項５記載の行程案内システムは、請求項１から４のいずれかに記載の行程案内システムにおいて、前記出来事情報格納手段に格納されている出来事情報のうち所定の出来事情報は、その所定の出来事情報により示される出来事が更に複数の出来事に分割された分割情報を有しており、前記筋書き生成手段は、前記出来事情報抽出手段によって前記出来事情報格納手段より抽出される前記一の事柄に対応する前記出来事情報のうち、前記分割情報を有している出来事情報により示される出来事を中心に前記筋書きを生成するものである。
【００１５】
請求項６記載のナビゲーションシステムは、車両の現在位置を検出する現在位置検出手段と、目的地を設定する目的地設定手段と、前記現在位置検出手段により検出される前記車両の現在位置から前記目的地設定手段により設定される前記目的地までの経路を設定して出力する経路出力手段と、場所情報を格納する場所情報格納手段と、所定の事柄毎に、その事柄に関する出来事を示す出来事情報を格納する出来事情報格納手段と、前記所定の事柄から一の事柄を設定する事柄設定手段と、その事柄設定手段により設定される一の事柄に対応する前記出来事情報を前記出来事情報格納手段に格納されている前記出来事情報の中から抽出する出来事情報抽出手段と、その出来事情報抽出手段により抽出される前記一の事柄に対応する前記出来事情報に基づいて、その一の事柄に対する筋書きを生成する筋書き生成手段と、前記場所情報格納手段に格納されている前記場所情報から抽出されると共に、前記筋書き生成手段により生成される筋書きに関連する場所の場所情報を、その筋書きに沿って配列する配列手段と、その配列手段により配列された前記場所情報の順番に従って前記筋書き生成手段により生成される筋書きに関連する場所を巡回ように、順次、その場所を前記目的地として前記目的地設定手段により設定されるよう制御する目的地設定制御手段とを備える。
【００１６】
尚、この請求項６記載のナビゲーションシステムは、１つの装置によって構成されるものであってもよいし、２以上の装置によって構成されるものであってもよい。例えば、車両に設けられるナビゲーション装置のみによって構成されてもよいし、ナビゲーション装置とそのナビゲーション装置がアクセス可能なサーバ装置とによって構成されてもよい。更に、場所情報格納手段および出来事情報格納手段の少なくとも一方を独立した別の外部記憶装置に設け、ナビゲーション装置と外部記憶装置、若しくは、ナビゲーション装置とサーバ装置と外部記憶装置によってナビゲーションシステムを構成してもよい。
【００１７】
また、請求項６記載の「事柄」は、例えば、人物や時代、事件などを含む概念であってもよい。また、請求項６記載の「筋書き」は、例えば、一の事柄に関する出来事を発生順に並べたものであってもよい。また、一の事柄に関する出来事を関連性の強いものをまとめて並べたものであってもよいし、一の事柄に関する出来事のうち一の出来事を中心にまとめたものであってもよい。
【発明の効果】
【００１８】
請求項１記載の行程案内システムによれば、事柄設定手段によって一の事柄が設定されると、その一の事柄に対応する出来事情報が出来事情報格納手段により出来事情報格納手段に格納されている出来事情報の中から抽出され、その抽出された出来事情報に基づいて、一の事柄に対応する筋書きが筋書き生成手段により生成される。そして、場所情報格納手段から抽出される場所情報であって、筋書き生成手段により生成される筋書きに関する場所の場所情報が、その筋書きに沿って配列手段により配列される。そして、その配列された場所情報の順番に従って、筋書き生成手段により生成される筋書きに関連する場所を巡回する行程が行程案内手段によって案内される。これにより、行程案内システムのユーザには、一の事柄に対応する筋書きに沿った順番でその筋書きに関連する場所を巡回する行程が案内されるので、ユーザは、その案内に従うことによって、その筋書きを感じながら興味を持って場所を巡回することができる。よって、ユーザに興味を持たせながら場所の巡回をさせることが可能な巡回行程を案内できるという効果がある。
【００１９】
請求項２記載の行程案内システムによれば、請求項１記載の行程案内システムの奏する効果に加え、次の効果を奏する。即ち、領域設定手段により設定される一の領域に存在する場所の場所情報が、場所情報格納手段に格納されている場所情報から場所情報抽出手段によって抽出され、その抽出された場所情報により示される一の領域に存在する場所に関連の深い事項が、事項抽出手段により抽出される。そして、その事項抽出手段により抽出された一の領域に存在する場所に関連の深い事柄が、一の事柄として事柄設定手段により設定される。これにより、一の領域に存在する場所に関連の深い事柄に対応する出来事情報が出来事情報格納手段に格納されている出来事情報の中から出来事情報抽出手段により抽出され、その抽出された出来事情報に基づいて、一の領域に存在する場所に関連の深い事柄に対応する筋書きが、筋書き生成手段により生成される。一方、配列手段は、場所情報抽出手段により抽出された一の領域に存在する場所の場所情報であって、筋書き生成手段により生成される筋書きに関連する場所の場所情報を、その筋書きに沿って配列するように構成されている。これにより、一の領域に存在する場所に関連の深い事項に対応する筋書きに沿って、その筋書きに関連した一の領域に存在する場所の場所情報が、配列手段により配列される。よって、行程案内システムのユーザには、一の領域に存在する場所に関連の深い事項に対応する筋書きに沿った順番で、その筋書きに関連した一の領域に存在する場所を巡回する行程が行程案内手段により案内されるので、ユーザは、その案内に従うことによって、一の領域において関連の深い事項を筋書きに沿って感じながら興味を持って、その一の領域に存在する場所を巡回することができる。従って、ユーザにより強い興味を持たせながら場所の巡回をさせることが可能な巡回行程を案内できるという効果がある。
【００２０】
請求項３記載の行程案内システムによれば、請求項１記載の行程案内システムの奏する効果に加え、次の効果を奏する。即ち、領域設定手段により一の領域が設定されると、その一の領域に関連の深い事柄を示す事柄情報が、事柄情報抽出手段によって事柄情報格納手段に格納されている事柄情報の中から抽出される。そして、その抽出された事柄情報によって示される一の領域に関連の深い事柄が、一の事柄として事柄設定手段により設定される。これにより、一の領域に関連の深い事柄に対応する出来事情報が、出来事情報格納手段に格納されている出来事情報の中から出来事情報抽出手段により抽出され、その抽出された出来事情報に基づいて、一の領域に関連の深い事柄に対応する筋書きが、筋書き生成手段により生成される。一方、配列手段は、場所情報抽出手段により抽出された一の領域に存在する場所の場所情報であって、筋書き生成手段により生成される筋書きに関連する場所の場所情報を、その筋書きに沿って配列するように構成されている。これにより、一の領域に関連の深い事柄に対応する筋書きに沿って、その筋書きに関連した一の領域に存在する場所の場所情報が、配列手段により配列される。よって、行程案内システムのユーザには、一の領域に関連の深い事柄に対応する筋書きに沿った順番で、その筋書きに関連した一の領域に存在する場所を巡回する行程が行程案内手段により案内されるので、ユーザは、その案内に従うことによって、一の領域に関連の深い事柄を筋書きに沿って感じながら興味を持って、その一の領域に存在する場所を巡回することができる。よって、ユーザにより強い興味を持たせながら場所の巡回をさせることが可能な巡回行程を案内できるという効果がある。
【００２１】
請求項４記載の行程案内システムによれば、請求項１から３のいずれかに記載の行程案内システムの奏する効果に加え、次の効果を奏する。即ち、筋書き生成手段は、来事情報抽出手段によって抽出される一の事柄に対応する出来事情報から関連性の強い出来事を抽出して、その関連性の強い出来事を中心に筋書きを生成するように構成されている。これにより、関連性の強い出来事を中心に生成された筋書きに沿って、その筋書きに関連した場所情報が配列手段により配列されるので、行程案内システムのユーザには、その関連性の強い出来事を中心に生成された筋書きに沿った順番で、その筋書きに関連した場所を巡回する行程が行程案内手段により案内される。よって、ユーザは、その案内に従うことによって、関連性の強い出来事を筋書きに沿って感じながら興味を持って場所を巡回することができるので、ユーザにより強い興味を持たせながら場所の巡回をさせることが可能な巡回行程を案内できるという効果がある。
【００２２】
請求項５記載の行程案内システムによれば、請求項１から４のいずれかに記載の行程案内システムの奏する効果に加え、次の効果を奏する。即ち、筋書き生成手段は、出来事情報抽出手段によって出来事情報格納手段より抽出される一の事柄に対応する出来事情報のうち、その出来事情報により示される出来事が更に複数の出来事に分割された分割情報を有している出来事情報によって示される出来事を中心に筋書きを生成するように構成されている。これにより、複数の出来事に分割されている一の出来事を中心に生成された筋書きに沿って、その筋書きに関連した場所情報が配列手段により配列されるので、行程案内システムのユーザには、その一の出来事を中心に生成された筋書きに沿った順番で、その筋書きに関連した場所を巡回する行程が行程案内手段により案内される。よって、ユーザは、その案内に従うことによって、筋書きに沿って一の出来事をより深く感じながら興味を持って場所を巡回することができるので、ユーザにより強い興味を持たせながら場所の巡回をさせることが可能な巡回行程を案内できるという効果がある。
【００２３】
請求項６記載のナビゲーションシステムによれば、現在位置検出手段により検出される車両の現在位置から目的地設定手段により設定される目的地までの経路が経路出力手段により設定され出力される。また、事柄設定手段によって一の事柄が設定されると、その一の事柄に対応する出来事情報が出来事情報格納手段により出来事情報格納手段に格納されている出来事情報の中から抽出され、その抽出された出来事情報に基づいて、一の事柄に対応する筋書きが筋書き生成手段により生成される。そして、場所情報格納手段から抽出される場所情報であって、筋書き生成手段により生成される筋書きに関する場所の場所情報が、その筋書きに沿って配列手段により配列される。そして、その配列された場所情報の順番に従って筋書き生成手段により生成される筋書きに関連する場所を巡回するように、順次、その場所を目的地として目的地設定手段により設定されるよう、目的地設定制御手段により制御される。これにより、ナビゲーションシステムのユーザには、一の事柄に対応する筋書きに沿った順番でその筋書きに関連する場所を巡回するように行程を案内しながら経路が出力されるので、ユーザは、その経路に従うことによって、その筋書きを感じながら興味を持って場所を巡回することができる。よって、ユーザに興味を持たせながら場所の巡回をさせることが可能な巡回行程を案内できるという効果がある。また、ユーザが目的地を設定しなくても、配列手段に配列された場所情報の順番に従って各々の場所が目的地として設定されるので、目的地の設定に伴うユーザの負担を軽減できるという効果がある。
【図面の簡単な説明】
【００２４】
【図１】本発明の一実施形態であるナビゲーションシステムの電気的構成を示すブロック図である。
【図２】（ａ）は、年表データベースに登録される年表の内容の一例を模式的に示す模式図であり、（ｂ）は、年表データベースに登録されるサブイベント情報の内容の一例を模式的に示す模式図である。
【図３】ナビゲーション装置内のＣＰＵで実行される観光ルート案内処理を示すフローチャートである。
【図４】情報提供サーバ内のＣＰＵで実行される観光ルート提案処理を示すフローチャートである。
【図５】ナビゲーション装置内のＬＣＤ上に表示されるストーリーリストの表示例を模式的に示す模式図である。
【図６】情報提供サーバ内のＣＰＵで実行される観光ルート送信処理を示すフローチャートである。
【発明を実施するための形態】
【００２５】
以下、本発明の一実施形態について添付図面を参照して説明する。図１は、本発明の一実形態であるナビゲーションシステム１の電気的構成を示すブロック図である。
【００２６】
まず、このナビゲーションシステム１の概略構成について説明する。ナビゲーションシステム１は、車両の現在位置から目的地までの経路を設定し、その設定した経路を出力して目的地までの経路誘導を行うものである。また、ナビゲーションシステム１は、車両が観光地を走行する場合に、ユーザに興味を持たせながらその観光地の各観光場所を巡回させることが可能な巡回行程を案内できる行程案内システムとして機能すると共に、その巡回行程に従って各観光場所への経路誘導を行うように構成されている。
【００２７】
このナビゲーションシステム１は、図１に示すように、ナビゲーション装置１０および情報提供サーバ５０を主に有している。ナビゲーション装置１０は、車両内に設けられるもので、目的地の設定、車両の現在位置検出、現在位置から目的地までの経路探索、経路探索により探索された経路を道路地図と合わせてナビゲーション装置１０の液晶ディスプレイ（以下、「ＬＣＤ（Ｌｉｑｕｉｄ  Ｃｒｙｓｔａｌ  Ｄｉｓｐｌａｙ）」と称する。）１８に表示して、搭乗者に経路を案内する経路案内といった、ナビゲーションシステムの主要な処理を実行する。
【００２８】
また、ナビゲーション装置１０は、携帯電話事業者が提供する無線通信ネットワーク７０に基地局６０を介して接続可能に構成され、無線通信ネットワーク７０に接続された情報提供サーバ５０へアクセスできるように構成されている。そして、ナビゲーション装置１０は、ナビゲーション装置１０に設けられた観光ルート表示キー２０ａが操作されたことに起因して、ナビゲーション装置１０の搭載された車両の現在地が観光地である場合は、情報提供サーバ５０に対して、観光地の各観光場所を巡回する行程である観光ルートの提案を要求する観光ルート提案要求を車両の位置情報と共に送信するように構成されている（図３のＳ１４参照）。
【００２９】
一方、情報提供サーバ５０は、車両外部に存在する情報センタに固定的に設置されるもので、ナビゲーション装置１０からの観光ルート提案要求に応じて、観光地にある各観光場所の巡回行程を示した観光ルートを生成し、ナビゲーション装置１０へ提供する。
【００３０】
ここで、情報提供サーバ５０は、観光ルートを生成する場合、まず、車両の位置情報により示される位置から所定範囲に含まれる観光場所を抽出し、その抽出した各観光場所に最も共通する歴史上の人物を抽出する（図４のＳ４１〜Ｓ４３参照）。そして、情報提供サーバ５０は、複数の人物に対し、人物毎にその人物に関連したイベント（出来事）を年代順に記述した年表が登録された年表データベース５４ｃを有しており、その年表データベース５４ｃから車両の位置から所定範囲に含まれる各観光場所に最も共通する歴史上の人物の年表を取得して、その人物に関連するイベントを所定の決まりに従ってまとめたストーリーを作成する（図４のＳ４４〜Ｓ５０参照）。
【００３１】
次いで、情報提供サーバ５０は、そのストーリーの内容から経由すべき観光場所を特定し、そのストーリーの内容に合わせて各観光場所の経由順番を設定した観光ルートを生成し（図４のＳ５１参照）、その観光ルート情報を含むストーリー情報を生成する（図４のＳ５２参照）。
【００３２】
そして、生成したストーリー情報をナビゲーション装置１０へ送信することによって（図６参照）、ナビゲーション装置１０は、このストーリー情報に含まれる観光ルートを車両の乗員に提案し、また、その観光ルートに示される順番に各観光場所への経路誘導を行う（図３のＳ２７参照）。これにより、ユーザは、歴史上の人物に関するイベントをまとめたストーリーを感じながら、興味を持って各観光場所を巡回できる。よって、ナビゲーションシステム１は、ユーザに興味を持たせながら観光地における各観光場所の巡回をさせることが可能な巡回行程を案内できる。
【００３３】
次いで、ナビゲーションシステム１の詳細構成について説明する。まず、ナビゲーション装置１０は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ハードディスクドライブ（以下、「ＨＤＤ（Ｈａｒｄ  Ｄｉｓｋ  Ｄｒｉｖｅ）」と称する。）１４、現在位置検出装置１５、通信制御装置１６、ＬＣＤ１８、タッチパネル１９、操作キー２０を主に有している。
【００３４】
ＣＰＵ１１、ＲＯＭ１２、ＲＡＭ１３は、バスライン２１を介して互いに接続されている。また、ＨＤＤ１４、現在位置検出装置１５、通信制御装置１６、ＬＣＤ１８、タッチパネル１９、操作キー２０は、いずれも入出力ポート２２に接続され、その入力ポート２２はバスライン２１に接続されている。これにより、ＣＰＵ１１、ＲＯＭ１２、ＲＡＭ１３と入出力ポート２２に接続される各部との間で、各種信号やデータの送受信が行われる。
【００３５】
ＣＰＵ１１は、ＲＯＭ１２やＲＡＭ１３に記憶されるデータやプログラムに従って、ナビゲーション装置１０が有している各機能の制御や、入出力ポート２２と接続された各部の制御を実行する演算装置である。このＣＰＵ１１には、計時回路１１ａが内蔵されている。計時回路１１ａは、現在の日時を刻む時計機能や、設定された時間の経過を計時するタイマ機能を有する既知の回路であり、ＣＰＵ１１は、計時回路１１ａの時計機能やタイマ機能を使用して、各種制御を行う。
【００３６】
ＲＯＭ１２は、ＣＰＵ１１で実行される制御プログラムなどを格納した書換不能な不揮発性のメモリである。図３のフローチャートに示す観光ルート案内処理を実行する制御プログラム１２ａは、このＲＯＭ１２に格納されている。
【００３７】
詳細については、図３を参照して後述するが、図３のフローチャートに示す観光ルート案内処理は、情報提供サーバ５０に対して観光ルート提案要求を送信し、その要求に応じて情報提供サーバ５０より送信されるストーリー情報に従って、そのストーリー情報に含まれる観光ルートをＬＣＤ１８上に表示して車両の乗員に提案すると共に、またその観光ルートに示される順番に各観光場所への経路誘導を行うものである。
【００３８】
また、観光ルート案内処理は、ストーリー情報を情報提供サーバ５０より受信する前に、予め、情報提供サーバ５０において生成されたストーリーの概要をリスト化したストーリーリストを受信し、そのストーリーリストの中から所望のストーリーを車両の乗員に選択させた上で、その乗員により選択されたストーリーに対応するストーリー情報を情報提供サーバ５０より受信する処理が含まれる。これにより、情報提供サーバ５０により作成された複数のストーリーの中から、乗員の希望するストーリーを選択できるので、乗員に対し、観光ルートの選択の幅を広げることができる。
【００３９】
ＲＡＭ１３は、書換可能な揮発性のメモリであり、ナビゲーション装置１０の各操作の実行時に各種のデータを一時的に記憶するためのメモリであり、ストーリー情報格納領域１３ａが設けられている。
【００４０】
ストーリー情報格納領域１３ａは、情報提供サーバ５０に対して送信した観光ルート提案要求に応じてその情報提供サーバ５０により生成されたストーリー情報のうち、乗員によって選択された一のストーリー情報を格納するための領域である。
【００４１】
ＣＰＵ１１は、図３に示す観光ルート提案処理において、乗員により選択されたストーリーに対応するストーリー情報の送信要求を情報提供サーバ５０に送信することで、情報提供サーバ５０よりそのストーリー情報を受信し、それをストーリー情報格納領域１３ａに格納する（図３のＳ２１〜Ｓ２６参照）。そして、ＣＰＵ１１は、そのストーリー情報格納領域１３ａに格納されたストーリー情報に基づいて、ストーリー情報に含まれる観光ルートをＬＣＤ１８上に表示して車両の乗員に提案すると共に、その観光ルートに示される順番に各観光場所への経路誘導を行う（図３のＳ２７参照）。
【００４２】
また、詳細については後述するように、情報提供サーバ５０より送信されるストーリー情報には、そのストーリーに含まれるイベントの内容やそのイベントに関連する情報、および、ストーリーの作成の基となった人物に関する情報が、関連情報として含まれており、ＣＰＵ１１は、ストーリー情報格納領域１３ａに格納したストーリー情報に含まれる関連情報を、適宜ＬＣＤ１８上に表示する（図３のＳ２８及びＳ２９参照）。
【００４３】
ＨＤＤ１４は、書換可能な磁気ディスクであり、例えば、道路地図データベース１４ａが格納される。道路地図データベース１４ａは、車両の現在地周辺や目的地周辺等の各種地図や道路をＬＣＤ１８に表示するための地図情報や、目的地までの経路探索に使用される道路情報が格納されたデータベースである。
【００４４】
ＣＰＵ１１は、ストーリー情報格納領域１３ａに格納されたストーリー情報に含まれる観光ルートをＬＣＤ１８上に表示して車両の乗員に提案し、また、その観光ルートに示される順番に各観光場所への経路誘導を行う場合に、この道路地図データベース１４ａに格納されている地図情報や、道路情報を参照する。また、関連情報を、その関連情報と関連する場所を地図で示しながらＬＣＤ１８上に表示させる場合にも、道路地図データベース１４ａに格納されている地図情報を参照する。
【００４５】
ＨＤＤ１４は、その他、車両の走行履歴（時間毎の車両の位置情報を示す履歴）が格納されるようになっている。ＣＰＵ１１は、車両が走行している間、所定時間毎に車両の位置情報（緯度および経度情報）を現在位置検出装置１５から取得し、その取得した車両の位置情報を計時回路１１ａによって示される時間と対応付けた上で、車両の走行履歴としてＨＤＤ１４に格納する。
【００４６】
現在位置検出装置１５は、ナビゲーション装置１０が搭載される車両の現在地の位置情報（緯度、経度からなる絶対座標値）を検出するためのものであり、人工衛星を利用して車両の位置を測定するＧＰＳ（Ｇｌｏｂａｌ  Ｐｏｓｉｔｉｏｎｉｎｇ  Ｓｙｓｔｅｍ）受信装置１５ａ、地磁気を検出して車両の方位を求める地磁気センサ１５ｂ、ジャイロセンサ１５ｃ、車速センサ１５ｄの１又は複数が使用される。
【００４７】
ＣＰＵ１１は、現在位置検出装置１５により検出される車両の現在地の位置情報に基づいて、目的地までの経路誘導を行う。また、ＣＰＵ１１は、情報提供サーバ５０に対して観光ルート提案要求を送信する場合にも現在位置検出装置１５により検出された車両の現在地の位置情報を取得し（図３のＳ１１参照）、その位置情報を観光ルート提案要求と合わせて情報提供サーバ５０に送信する（図３のＳ１４参照）。これにより、情報提供サーバ５０では、車両の現在地から所定距離（例えば、５０ｋｍ）範囲内にある観光場所の中から、最も共通する歴史上の人物を特定し、その人物の年表から各種ストーリーを作成することができる。
【００４８】
通信制御装置１６は、携帯通信用アンテナ１７を有しており、携帯電話事業者が提供する無線通信ネットワーク７０の末端に設けられている基地局６０との間で、その基地局６０に設けられた基地局用アンテナ６０ａを介して無線通信を行いながら、各種データの送受信を行う回路である。ナビゲーション装置１０は、この通信制御装置１６によって、無線通信ネットワーク７０に接続されている情報提供サーバ５０にアクセスし、その情報提供サーバ５０に対して観光ルート提案要求やストーリー情報の送信要求を送信すると共に、情報提供サーバ５０から、ストーリーリストやストーリー情報を受信する。
【００４９】
ＬＣＤ１８は、タッチパネル１９や操作キー２０の操作に応じてメニューや動作状態などを表示すると共に、車両周辺や経路探索された走行経路周辺の地図、探索経路、周辺施設案内画面などの表示を行う表示装置である。ＣＰＵ１１は、ストーリー情報格納領域１３ａに格納されたストーリー情報に含まれる観光ルートをＬＣＤ１８上に表示して車両の乗員に提案すると共に、その観光ルートに示される順番に各観光場所への経路をＬＣＤ１８に表示することによって経路誘導を行う（図３のＳ２７参照）。また、ストーリー情報に含まれる関連情報を、適宜ＬＣＤ１８上に表示する。
【００５０】
また、ＣＰＵ１１は、情報提供サーバ５０よりストーリー情報が提供されるのに先だって送信されるストーリーリストの内容をＬＣＤ１８上に表示する。そして、ＬＣＤ１８に表示されたストーリーリストの中から、乗員により所望のストーリーがタッチパネル１９を介して選択できるように構成されている。ＣＰＵ１１は、ここで選択されたストーリーに対応するストーリー情報の送信要求を情報提供サーバ５０へ送信することにより、情報提供サーバ５０からそのストーリー情報を受信する。そして、受信したストーリー情報をストーリー情報格納領域１３ａに格納する。
【００５１】
タッチパネル１９は、ＬＣＤ１８の表示パネル面に設けられた入力装置であり、指示物（ユーザの指やタッチペンなど）が接触または近接された場合に、その指示物により示された位置情報を出力するものである。ＣＰＵ１１は、タッチパネル１９より出力された位置情報をもとに、ＬＣＤ１８に表示したボタンやアイコンの押下操作の有無を判断する。
【００５２】
例えば、ＣＰＵ１１は、情報提供サーバ５０により受信したストーリーリストをＬＣＤ１８に表示させている場合に、そのストーリーリストに含まれるストーリーの概要の表示されている領域が指示物により指示（接触または近接）されたことを検出すると、そのストーリーが乗員によりタッチパネル１９を介して選択されたと判断し、そのストーリーに対応するストーリー情報の送信要求を情報提供サーバ５０に対して送信する。
【００５３】
操作キー２０は、ユーザによるナビゲーション装置１０の各種機能の切り替えや、各種動作の指示をタッチパネル１９と共に受け付ける入力装置である。操作キー２０には、観光ルート表示キー２０ａが設けられており、乗員によって観光ルート表示キー２０ａが操作されると、ＣＰＵ１１は、図３に示す観光ルート提案処理の実行を開始する。これにより、情報提供サーバ５０に対して観光ルート提案要求が送信され、その要求やストーリー情報の送信要求に応じて情報提供サーバ５０により生成されたストーリー情報を受信する。そして、ＣＰＵ１１は、受信したストーリー情報に含まれる観光ルートをＬＣＤ１８上に表示して車両の乗員に提案すると共に、その観光ルートに示される順番に各観光場所への経路誘導を行う。
【００５４】
次に、情報提供サーバ５０の詳細構成について説明する。情報提供サーバ５０は、ＣＰＵ５１、ＲＯＭ５２、ＲＡＭ５３、ＨＤＤ５４、通信制御装置５５を主に有している。ＣＰＵ５１、ＲＯＭ５２、ＲＡＭ５３は、バスライン５６を介して互いに接続されている。また、ＨＤＤ５４および通信制御装置５５は入出力ポート５７に接続され、この入力ポート５７はバスライン５６に接続されている。これにより、ＣＰＵ５１、ＲＯＭ５２、ＲＡＭ５３と入出力ポート５７に接続される各部との間で、各種信号やデータの送受信が行われる。
【００５５】
ＣＰＵ５１は、ＲＯＭ５２、ＲＡＭ５３やＨＤＤ５４に記憶されるデータやプログラムに従って、情報提供サーバ５０が有している各機能の制御や、入出力ポート５７と接続された各部の制御を実行する演算装置である。このＣＰＵ５１には、計時回路５１ａが内蔵されている。計時回路５１ａは、現在の日時を刻む時計機能を有する既知の回路であり、ＣＰＵ５１は、計時回路５１ａにより出力される現在の日時を使用して、各種制御を実行する。
【００５６】
ＲＯＭ５２は、ＣＰＵ５１が入出力ポート５４と接続された各部の入出力を制御するプログラム並びにそのプログラムを実行する際に参照する各種設定および固定値などを記憶する書換不能な不揮発性のメモリである。また、ＲＡＭ５３は、情報提供サーバ５０の各操作の実行時に各種のデータを一時的に記憶するための書換可能な揮発性のメモリであり、ストーリー情報格納領域５３ａを有している。
【００５７】
ストーリー情報格納領域５３ａは、ＣＰＵ５１によって生成されたストーリー情報を格納するための領域である。情報提供サーバ５０は、ナビゲーション装置１０より観光ルート提案要求を受信すると、図４を参照して後述する観光ルート提案処理をＣＰＵ５１によって実行し、そのナビゲーション装置１０を搭載した車両の現在位置から所定範囲（例えば、５０ｋｍ以内）に含まれる各観光場所に最も共通する歴史上の人物の年表に基づいて、１以上のストーリーを生成する。そして、ＣＰＵ５１は、ストーリー毎に、それぞれのストーリーに合わせて経由する観光場所の経由順番を設定した観光ルート情報と、そのストーリーに関する関連情報とをまとめたストーリー情報を生成し、そのストーリー情報をストーリー情報格納領域５３ａに格納する（図４のＳ５２参照）。
【００５８】
また、情報提供サーバ５０は、ナビゲーション装置１０よりストーリー情報の送信要求を受信すると、図６を参照して後述する観光ルート送信処理を実行し、ストーリー情報格納領域５３ａに格納されているストーリー情報の中から、ストーリー情報の送信要求によって示されるストーリー情報をナビゲーション装置１０へ送信する。これにより、ナビゲーション装置１０では、情報提供サーバ５０より送信されたストーリー情報に基づいて、そのストーリー情報に含まれる観光ルートをＬＣＤ１８上に表示して車両の乗員に提案すると共に、その観光ルートに示される順番に各観光場所への経路誘導を行う。
【００５９】
ＨＤＤ５４は、ＯＳやアプリケーションプログラムといったＣＰＵ５１により実行される各種プログラムや各種設定を記憶する、書換可能な磁気ディスクである。図４のフローチャートに示す観光ルート提案処理や図６のフローチャートに示す観光ルート送信処理を実行する制御プログラム５４ａは、このＨＤＤ５４に格納されている。
【００６０】
ＨＤＤ５４には、また、観光場所データベース５４ｂおよび年表データベース５４ｃが格納される。観光場所データベース５４ｂは、複数の観光場所に関する情報が登録されたデータベースである。各観光場所には、それぞれ、その観光場所の名称および位置情報（緯度および経度情報）が登録されている他、その観光場所に関連のある歴史上の人物が登録されている。
【００６１】
ＣＰＵ５１は、ナビゲーション装置１０より観光ルート提案要求を受信することにより、図４に示す観光ルート提案処理を実行して、その観光ルート提案要求と合わせて受信した車両の現在地の位置情報に基づき、車両の現在地から所定範囲（例えば、５０ｋｍ以内）に含まれる観光場所を、観光場所データベース５４ｂに登録されている各観光場所の位置情報から判断して抽出する（図４のＳ４２参照）。
【００６２】
また、ＣＰＵ５１は、観光場所データベース５４ｂより抽出した、車両の現在地から所定範囲に含まれる各観光場所のそれぞれについて、関連のある歴史上の人物を観光場所データベース５４ｂの登録内容から確認し、各観光場所に最も共通する歴史上の人物を抽出する（図４のＳ４３参照）。これにより、ＣＰＵ５１は、車両の現在地付近に最もゆかりのある人物を抽出することができ、この抽出した歴史上の人物の年表を、次に説明する年表データベース５４ｃから取得して、その年表に記述されたイベントの内容に基づき、１以上のストーリーを作成する。
【００６３】
年表データベース５４ｂは、複数の人物に対し、人物毎にその人物に関連したイベント（出来事）を年代順に記述した年表を登録したデータベースである。また、年表データベース５４ｂには、それぞれの年表に記述されたイベントのうち、一部のイベントに対して、そのイベントを更に細かく分割して詳細に記述したサブイベント情報も合わせて登録されている。
【００６４】
ここで、図２を参照して、年表データベース５４ｃの詳細について説明する。図２（ａ）は、年表データベース５４ｃに登録される年表（上杉謙信）の内容の一例を模式的に示した模式図であり、図２（ｂ）は、年表データベース５４ｃに登録されるサブイベント情報（信長包囲網）の内容の一例を模式的に示した模式図である。
【００６５】
年表およびサブイベント情報は、図２（ａ）および（ｂ）に示すように、いずれも「イベント」項目と「場所」項目とによって構成されている。「イベント」項目は、この年表が示す歴史上の人物に関連して発生した各種イベントの内容を、そのイベントが発生した年代順に記述した項目であり、イベントが発生した年（西暦）を示す「年」サブ項目と、そのイベントの内容を記述した「内容」サブ項目によって構成される。
【００６６】
「場所」項目は、「イベント」項目に記述されたイベントに関係のある観光場所を記述する項目であり、「イベント」項目に記述されたイベントのうち、そのイベントに関係のある観光場所が存在するものがある場合、その観光場所の名称（または、位置情報）がそのイベントに対応付ける形で「場所」項目に記述される。
【００６７】
サブイベント情報は、図２（ｂ）に示すように、年表の一イベント（この例では、「信長包囲網」）を更に細かく分割して、そのイベントの内容を記述している。これにより、ＣＰＵ５１は、イベントの内容が大まかに記述された年表だけを参照して、その年表に記述されたイベントの内容に基づくストーリーを生成する一方、年表データベース５４ｃ内にサブイベント情報が用意されたイベントがある場合は、そのサブイベント情報に詳細に記述されたイベントを中心としたストーリーも作成できるようになっている。
【００６８】
即ち、ＣＰＵ５１は、図４に示す観光ルート提案処理を実行することにより抽出された、車両の現在地から所定範囲に含まれる観光場所に最も共通する歴史上の人物、即ち、車両の現在地付近に最もゆかりのある人物の年表を、年表データベース５４ｃより取得すると、その取得した年表に基づいて、まず、その年表全体に記載されたイベントをそのイベントの発生順に網羅したストーリーを生成する（図３のＳ４５参照）。これにより、歴史上の人物に関係する観光場所をその人物の生涯に関連づけながら巡回する観光ルートを設定したストーリー情報を生成することができる。
【００６９】
また、ＣＰＵ５１は、取得した年表の中に、関連性の強いイベントがあれば、その関連性の強いイベントを発生順に集めて、ストーリーを生成する（図３のＳ４６およびＳ４７参照）。例えば、図２の例では、上杉謙信に関わるイベントのうち、第一次川中島の戦い〜第五次川中島の戦いが、特に関連性の強いイベントとして認められるので、この第一次川中島の戦い〜第五次川中島の戦いをまとめたストーリーが生成される。このように、特に関連性の強いイベントを集めてストーリーを生成することにより、歴史上の人物に関係する観光場所のうち、その関連性の強いイベントに関係する観光地を中心に巡回する観光ルートを設定したストーリー情報を生成することができる。
【００７０】
更に、ＣＰＵ５１は、取得した年表の中に、年表データベース５４ｃ内にサブイベント情報が用意されたイベントが存在する場合は、そのサブイベント情報を参照して、そのサブイベント情報に記述されたイベントを中心に各イベントを発生順に集めたストーリーを作成する（図３のＳ４８及びＳ４９参照）。例えば、図２の例では、「信長包囲網」に対してサブイベント情報が年表データベース５４ｃ内に用意されているので、その「信長包囲網」に対するサブイベント情報に記述されたイベントをまとめたストーリーが生成される。
【００７１】
このように、一つのイベントをより詳細化したイベントに基づいてストーリーを生成することにより、歴史上の人物に関係する観光場所のうち、１つのイベントに関係する関係する観光地を中心に巡回する観光ルートを設定したストーリー情報を生成することができる。
【００７２】
尚、ＣＰＵ５１は、年表に基づいてその他のストーリーが作成できる場合は、その他のストーリーも作成する。
【００７３】
そして、ＣＰＵ５１は、ストーリーを作成した後、各ストーリーに対応するストーリー情報をストーリー毎に作成する。このストーリー情報の生成は、まず、ストーリー毎に、それぞれのストーリーに合わせて経由する観光場所の経由順序を設定することから行われる。
【００７４】
具体的には、生成すべきストーリー情報に対応するストーリーにまとめられた各イベントに対応する観光場所を年表データベース５４ｃの「場所」項目から全て特定し、その観光場所のうち車両の現在地から所定範囲に含まれている観光場所を経由すべき場所として決定する。そして、その経由すべきと決定された各観光場所をストーリーにまとめられたイベントの順番（即ち、イベントの発生順）に従って並べ、その順番に従って各観光場所を経由するように、各観光場所の経由順序を観光ルートとして設定する（図３のＳ５１参照）。
【００７５】
そして、ＣＰＵ５１は、設定された観光ルートの観光ルート情報に、そのストーリーに含まれるイベントの内容やそのイベントに関連する情報またはストーリーの作成の基となった人物に関する情報である関連情報を追加して、ストーリー情報を生成する。これらの関連情報は、年表データベース５４ｃから生成される。
【００７６】
即ち、ストーリーに含まれるイベントの内容である関連情報は、そのストーリーの基となった年表やサブイベント情報の「イベント」項目の「内容」サブ項目に記述されている内容がそのまま用いられる。また、イベントに関連する情報は、そのイベントに対して設けられたサブイベント情報の「イベント」項目の「内容」サブ項目に記述されている内容が用いられる。
【００７７】
一方、ストーリーの作成の基となった人物に関する情報は、その人物の年表に記述されたイベントのうち、ストーリーに含まれていないイベントの「内容」サブ項目に記述されている内容が用いられると共に、その人物の年表に記述されたイベントの中に、他の人物の名前が記述されていれば、その他の人物の年表に記述されている「イベント」項目の「内容」サブ項目の内容が用いられる。
【００７８】
このとき、ＣＰＵ５１は、ストーリー情報に追加する各関連情報が観光ルートとして経由される観光場所に関連する関連情報であるか否かを判断し、その結果、観光ルートとして経由される観光場所に関連する関連情報であれば、その関連情報を関連する観光場所に対応付けてストーリー情報に追加する。一方、それ以外の関連情報である場合は、その関連情報の基となったイベントに対応付けられている場所を年表データベース５４ｃの「場所」項目から読み出し、その場所の位置情報（緯度および経度情報）をその関連情報に対応付けてストーリー情報に追加する。
【００７９】
ＣＰＵ５１は、このようにして生成された各ストーリー情報をストーリー情報格納領域５３ａに格納する。そして、ナビゲーション装置１０よりストーリー情報の送信要求を受信することで、ＣＰＵ５１が観光ルート送信処理（図６参照）を実行し、送信要求において指定されたストーリー情報をストーリー情報格納領域５３ａから読み出して、ナビゲーション装置１０へ送信する。これにより、ナビゲーション装置１０では、そのストーリー情報に基づいて、観光ルートの提案および各観光場所への経路誘導を行うと共に、関連情報を適宜ＬＣＤ１８上に表示させることができる。
【００８０】
尚、ストーリー情報に対する関連情報の追加において、観光ルートとして経由される観光場所に関連するイベントの内容は全て関連情報として追加される一方、それ以外のイベントの関連情報は適宜取捨選択して追加されるようにしてもよい。これにより、ナビゲーション装置１０において、観光ルートとして経由される観光場所に関連しない関連情報が、多数ＬＣＤ１８上に表示され、乗員に対して必要以上に情報が提供されることを抑制することができる。
【００８１】
図１に戻って、説明を続ける。通信制御装置５５は、携帯電話事業者が提供する無線通信ネットワーク７０との間で、各種データの送受信を行う回路である。情報提供サーバ５０は、この通信制御装置５５によって、無線通信ネットワーク７０に接続したナビゲーション装置１０からアクセスを受け、ナビゲーション装置１０から観光ルート提案要求やストーリー情報の送信要求を受信すると共に、それらの要求に応じて、ストーリーリストやストーリー情報をナビゲーション装置１０に対して送信する。
【００８２】
次いで、図３〜図６を参照して、ナビゲーション装置１０内のＣＰＵ１１および情報提供サーバ５０内のＣＰＵ５１により実行される各処理について説明する。まず、図３は、ナビゲーション装置１０内のＣＰＵ１１により実行される観光ルート案内処理を示すフローチャートである。この観光ルート案内処理は、情報提供サーバ５０に対して観光ルート提案要求を送信し、その要求に対応して情報提供サーバ５０により生成されるストーリー情報に従って、そのストーリー情報に含まれる観光ルートをＬＣＤ１８上に表示して車両の乗員に提案すると共に、その観光ルートに示される順番に各観光場所への経路誘導を行う処理で、観光ルート表示キー２０ａが操作された場合に、ＣＰＵ１１によって実行される。
【００８３】
この観光ルート案内処理では、まず、車両の現在地の位置情報を現在位置検出装置１５より取得し（Ｓ１１）、次いで、その車両の現在地がいつもの活動エリアであるか否かを判別する（Ｓ１２）。ナビゲーション装置１０では、上述したように、車両の走行履歴（時間毎の車両の位置情報）を記録してＨＤＤ１４に格納するようになっており、Ｓ１２の処理では、その車両の走行履歴とＳ１１により取得した車両の現在地の位置情報とを比較することによって、その判別が行われる。
【００８４】
そして、Ｓ１２の処理の結果、いつもの活動エリアであると判別される場合は（Ｓ１２：Ｙｅｓ）、乗員に対して観光ルートの提案や経路誘導を行う必要がないため、そのまま観光ルート案内処理を終了する。尚、この場合、ＬＣＤ１８上に、いつもの活動エリアであることを通知するメッセージを表示した上で、この観光ルート案内処理を終了するようにしてもよい。
【００８５】
一方、Ｓ１２の処理の結果、いつもの活動エリアではないと判別される場合は（Ｓ１２：Ｎｏ）、次いで、車両の現在地が観光地か否かを判別する（Ｓ１３）。ＨＤＤ１４の道路地図データベース１４ａには、その地図情報において、各場所毎に観光地であるか否かを示す情報が付加されており、Ｓ１３の処理では、Ｓ１１の処理により取得した車両の現在地の位置情報により示される場所が観光地であるか否かを、道路地図データベース１４ａの地図情報より確認することによって、その判別が行われる。
【００８６】
そして、Ｓ１３の処理の結果、観光地でないと判別される場合は（Ｓ１３：Ｎｏ）、乗員に対して観光ルートの提案や経路誘導をする必要がないため、そのまま観光ルート案内処理を終了する。尚、この場合、ＬＣＤ１８上に、観光地ではないことを通知するメッセージを表示した上で、この観光ルート案内処理を終了するようにしてもよい。
【００８７】
一方、Ｓ１３の処理の結果、観光地であると判別される場合は（Ｓ１３：Ｙｅｓ）、次いで、観光ルート提案要求を、Ｓ１１の処理により取得した車両の現在地の位置情報と合わせて、情報提供サーバ５０へ送信するよう、通信制御回路１６を制御し（Ｓ１４）、Ｓ１５の処理へ移行する。これにより、観光ルート提案要求が、車両の現在地の位置情報と共に、基地局６０および無線通信ネットワーク７０を介して、情報提供サーバ５０へ送信される。
【００８８】
そして、情報提供サーバ５０では、この観光ルート提案要求を受信することによって、図４に示す観光ルート提案処理がＣＰＵ５１により実行され、車両の現在地付近に最もゆかりのある人物に基づいて生成されたストーリー毎に、それぞれ、そのストーリーに合わせた観光場所を経由する観光ルート情報およびそのストーリーに関する関連情報をまとめたストーリー情報が生成されると共に、そのストーリーの概要を示すストーリーリストが生成され、ナビゲーション装置１０へ送信される。
【００８９】
ここで、図４を参照して、情報提供サーバ５０内のＣＰＵ５１により実行される観光ルート提案処理について説明する。図４は、その観光ルート提案処理を示すフローチャートである。
【００９０】
この観光ルート提案処理では、まず、観光ルート提案要求と合わせてナビゲーション装置１０より送信される車両の現在地の位置情報を受信し（Ｓ４１）、その受信した位置情報により示される車両の現在地から所定範囲（例えば、５０ｋｍ以内）に含まれる観光場所を、観光場所データベース５４ｂに登録されている各観光場所の位置情報から判断して抽出する（Ｓ４２）。
【００９１】
次に、Ｓ４２の処理により抽出された各観光場所のそれぞれについて、関連のある歴史上の人物を観光場所データベース５４ｂの登録内容から確認し、各観光場所に最も共通する歴史上の人物を抽出する（Ｓ４３）。これにより、車両の現在地付近に最もゆかりのある人物が特定される。
【００９２】
そして、Ｓ４３の処理により抽出した歴史上の人物の年表を、年表データベース５４ｃから取得し（Ｓ４４）、続くＳ４５〜Ｓ５０の処理によって、その取得した年表からストーリーを生成する。即ち、Ｓ４５〜Ｓ５０の処理によって、車両の現在地付近に最もゆかりのある人物に対するストーリーが生成されることとなる。
【００９３】
まず、Ｓ４５の処理では、取得した年表から、その年表全体に記載されたイベントをそのイベントの発生順に網羅したストーリーを生成する（Ｓ４５）。これにより、車両の現在地付近に最もゆかりのある人物の生涯をまとめたストーリーが生成される。
【００９４】
次いで、Ｓ４４の処理により取得した年表の中に、関連性の強いイベントがあるか否かを判別し（Ｓ４６）、年表中に関連性の強いイベントがあれば（Ｓ４６：Ｙｅｓ）、その関連性の強いイベントを発生順に集めて、ストーリーを生成する（Ｓ４７）。これにより、車両の現在地付近に最もゆかりのある人物において、特に関連性の強いイベントを中心にまとめたストーリーが生成される。この場合、その人物において特徴的なイベントがまとめられる可能性が高く、その人物の核心に迫ったストーリーを生成することができる。
【００９５】
更に、Ｓ４７の処理の後、もしくは、Ｓ４６の処理によって年表中に関連性の強いイベントがないと判別される場合（Ｓ４６：Ｎｏ）は、Ｓ４４の処理により取得した年表の中に、年表データベース５４ｃ内にサブイベント情報が用意されたイベントが存在するか否かを判別し（Ｓ４８）、サブイベント情報が用意されたイベントが存在する場合は（Ｓ４８：Ｙｅｓ）、年表データベース５４ｃからそのサブイベント情報を参照して、そのサブイベント情報に記述されたイベントを中心に各イベントを発生順に集めたストーリーを作成する（Ｓ４９）。これにより、車両の現在地付近に最もゆかりのある人物のイベントのうち、１のイベントにこだわったストーリーが生成される。
【００９６】
また、Ｓ４９の処理の後、もしくは、Ｓ４８の処理によってサブイベント情報が用意されたイベントは存在しないと判別される場合（Ｓ４８：Ｎｏ）は、年表に基づいてその他のストーリーが作成できるか否かを判別して、作成可能な場合はその他のストーリーを作成する（Ｓ５０）。
【００９７】
このように、種々のストーリーを作成することによって、ナビゲーション装置１０の搭載された車両の乗員に対して、様々な観光ルートの提案を行うことができるのである。
【００９８】
Ｓ４５〜Ｓ５０の処理によってストーリーが生成された後、次いで、Ｓ５０及びＳ５１の処理により、生成されたストーリー毎にそれぞれのストーリーに対応するストーリー情報を生成する。
【００９９】
まず、生成されたストーリー毎に、それぞれのストーリーの内容に合わせて経由する観光場所の経由順序を示す観光ルートを設定する（Ｓ５１）。即ち、ストーリーに含まれる各イベントに対応する観光場所を年表データベース５４ｃの「場所」項目から特定し、そのうち車両の現在地から所定範囲に含まれている観光場所を経由すべき場所として決定する。そして、その観光場所をストーリーにまとめられたイベントの発生順に従って並べ、その順番に従って各観光場所を経由するように、各観光場所の経由順序を観光ルートとして設定する。このとき、その観光ルートにおける概算所要時間も合わせて算出する。
【０１００】
そして、ストーリー毎に、Ｓ５１の処理により設定された観光ルートの観光ルート情報に対し、そのストーリーに含まれるイベントの内容やそのイベントに関連する情報またはストーリーの作成の基となった人物に関する情報である関連情報を追加して、ストーリー情報を生成すると共に、そのストーリー情報をストーリー情報格納領域５３ａへ格納する（Ｓ５２）。
【０１０１】
このとき、上述したように、ストーリー情報に追加する各関連情報が観光ルートとして経由される観光場所に関連する関連情報であれば、その関連情報を関連する観光場所に対応付けてストーリー情報に追加する。一方、それ以外の関連情報である場合は、その関連情報の基となったイベントに対応付けられている場所の位置情報（緯度および経度情報）を年表データベース５４ｃから特定し、その位置情報をその関連情報に対応付けてストーリー情報に追加する。
【０１０２】
尚、Ｓ５２の処理によりストーリー情報格納領域５３ａに格納されたストーリー情報は、上述したように、ナビゲーション装置１０よりストーリー情報の取得要求を受信した場合に、図６を参照して後述する観光ルート送信処理により、その取得要求により示されるストーリー情報が読み出され、ナビゲーション装置１０に対して送信される。
【０１０３】
次いで、Ｓ４５〜Ｓ５０の処理により生成された各ストーリーの概要を、Ｓ５１の処理において算出された概算所要時間と合わせてリスト化したストーリーリストを生成する（Ｓ５３）。そして、生成したストーリーリストをナビゲーション装置１０へ送信して（Ｓ５４）、この観光ルート提案処理を終了する。ナビゲーション装置１０は、このストーリーリストを受信することによって、そのリストの内容をＬＣＤ１８上に表示し、車両の乗員から所望のストーリーの指示を受け付ける処理を実行することができる。
【０１０４】
ここで、観光ルート提案処理は、Ｓ４５〜Ｓ５０の処理により生成された各ストーリーに基づいて、それぞれのストーリーに応じた観光ルートがＳ５１の処理によって設定される。
【０１０５】
例えば、Ｓ４７の処理によって、車両の現在地付近に最もゆかりのある人物の年表から関連性の強いイベントを中心にまとめたストーリーが生成された場合は、そのストーリーに対応する観光ルートとして、その関連性の強いイベントを中心にまとめられたストーリーに沿って各観光場所を経由する順番が設定される。ナビゲーション装置１０は、車両の乗員に対し、その設定された順番で各観光場所への観光ルートを提案し、また、経路誘導を行うことによって、乗員がその観光ルートに従えば、乗員に対して、関連性の強いイベントをストーリーに沿って感じさせながら興味を持って各観光場所を巡回させることができる。
【０１０６】
特に、Ｓ４７の処理によって生成されたストーリーは、その歴史上の人物において特徴的なイベントがまとめられる可能性が高く、その人物の核心に迫ったストーリーである可能性が高い。よって、その人物の核心に迫ったストーリーに基づいて生成される観光ルートに従って、乗員が各観光場所を巡回すれば、乗員に対して、歴史上の人物の核心に迫ったストーリーを感じさせながら興味を持って各観光場所を巡回させることができる。
【０１０７】
また、Ｓ４９の処理によって、車両の現在地付近に最もゆかりのある人物の年表からサブイベント情報が用意されたイベントを中心に集めてストーリーが生成された場合は、そのストーリーに対応する観光ルートとして、そのサブイベント情報の用意されたイベントを中心にまとめられたストーリーに沿って、各観光場所を経由する順番が設定される。ナビゲーション装置１０は、車両の乗員に対し、その設定された順番で各観光場所への観光ルートを提案し、また、経路誘導を行うことによって、乗員がその観光ルートに従えば、乗員に対して、１つのイベントをストーリーに沿って深く感じさせながら興味を持って各観光場所を巡回させることができる。
【０１０８】
特に、Ｓ４９の処理によって生成されたストーリーは、その歴史上の人物にうち、１のイベントにこだわって生成されたストーリーであるので、乗員がそのストーリーの観光ルート情報に示される観光ルートに従えば、乗員に対して、１つのイベントに対するこだわりを深く感じさせながら興味を持って各観光場所を巡回させることができる。
【０１０９】
図３に戻って、ナビゲーション装置１０内のＣＰＵ１１により実行される観光ルート案内処理の説明をＳ１５の処理から続ける。Ｓ１５の処理では、計時回路１１ａのタイマ機能の動作を開始させる（Ｓ１５）。この処理は、Ｓ１４の処理によって観光ルート提案要求を情報提供サーバ５０に対して送信した後、その観光ルート提案要求に対する情報提供サーバ５０からの応答が所定時間内にあるか否かを、Ｓ１６およびＳ１７の処理により判断するためのものである。
【０１１０】
そして、情報提供サーバ５０からの応答があったか否かを通信制御装置１６の状態に基づいて判断し（Ｓ１６）、情報提供サーバ５０からの応答がなければ、Ｓ１５の処理による計時回路１１ａのタイマ機能の動作開始後、所定時間経過したか否かを計時回路１１ａの状態から判別する（Ｓ１７）。
【０１１１】
その結果、所定時間経過していなければ（Ｓ１７：Ｎｏ）、Ｓ１６の処理に回帰し、再び、情報提供サーバ５０からの応答があったか否かを判断する。一方、Ｓ１７の処理の結果、所定時間経過していれば（Ｓ１７：Ｙｅｓ）、通信上もしくは情報提供サーバ５０における障害によって、情報提供サーバ５０から目的地候補の提供を受けることができない状態にあると判断し、Ｓ２５の処理へ移行する。そして、Ｓ２５の処理では、ＬＣＤ１８上に「タイムアウトエラー」を表示し（Ｓ２５）、この観光ルート案内処理を終了する。このタイムアウトエラーの表示により、乗員に対して、情報提供サーバ５０との間のデータの送受信に問題があることを認識させることができる。
【０１１２】
これに対し、Ｓ１６の処理の結果、情報提供サーバ５０からの応答があったと判断される場合は（Ｓ１６：Ｙｅｓ）、観光ルート提案要求に応じて情報提供サーバ５０より送信されたストーリーリストを受信し（Ｓ１８）、受信したストーリーリストをＬＣＤ１８上に表示して（Ｓ１９）、Ｓ２０の処理へ移行する。
【０１１３】
ここで、図５を参照して、ナビゲーション装置１０内のＬＣＤ１８上に表示されるストーリーリストの表示内容について説明する。図５は、そのストーリーリストの表示例を模式的に示した模式図である。
【０１１４】
ＣＰＵ１１は、図５に示すように、ストーリーリストに含められた各ストーリーの概要（図５の例では、「上杉謙信の生涯」、「川中島の戦い」、「信長包囲網」）を抽出し、ＬＣＤ１８の画面向かって左側に、抽出した各概要の内容を上から下へ順に並べて表示する。また、ストーリーリストには、上述したように、各ストーリーに対して設定された観光ルート（図４のＳ５１参照）における概算所要時間が含まれており、ＣＰＵ１１は、各ストーリーに対する観光ルートの概算所要時間を抽出した上で、対応するストーリーの概要が表示された右側に、その概算所要時間を表示する。
【０１１５】
ここで、ＬＣＤ１８上に表示された各ストーリーの概要は、ストーリー毎に矩形状の枠で囲まれ、その矩形状の枠で囲まれた範囲がボタン化されている（以下、このボタンを「ストーリーボタン」と称する）。乗員は、ＬＣＤ１８上に表示されたストーリーの概要および概算所要時間から選択したいストーリーを決め、タッチパネル１９を介して、その選択したいストーリーの概要が表示されているストーリーボタンを指示物によって指示することで、所望のストーリーを選択し、そのストーリーに対応するストーリー情報を情報提供サーバ５０から受信することができる。
【０１１６】
図３に戻って、観光ルート案内処理の説明を、Ｓ２０の処理より続ける。Ｓ２０の処理では、ＬＣＤ１８上に表示されたストーリーリストから、乗員によりタッチパネル１９を介してストーリーボタンが指示されたことにより、１のストーリーが選択されたか否かを判別する（Ｓ２０）。そして、１のストーリーが非選択（Ｓ２０：Ｎｏ）の間は、Ｓ２０の処理が繰り返し実行され、その選択が行われるまで、処理がウェイトされる。
【０１１７】
尚、Ｓ２０の処理が繰り返し実行されている間に、乗員の指示に基づいて、観光ルーツ案内処理を終了させてもよい。例えば、Ｓ１９の処理によってストーリーリストをＬＣＤ１８上に表示させる場合に、合わせて、「終了」ボタンをＬＣＤ１８に表示させておき、Ｓ２０：Ｎｏの分岐において、乗員のよる「終了ボタン」の指示操作が検出された場合は、ストーリーリストの表示を中断した上で、この観光ルート案内処理を終了するようにしてもよい。
【０１１８】
一方、Ｓ２０の処理の結果、乗員により１のストーリーが選択されたと判別されると（Ｓ２０：Ｙｅｓ）、その選択されたストーリーに対応するストーリー情報の送信要求を情報提供サーバ５０へ送信するよう、通信制御回路１６を制御し（Ｓ２１）、Ｓ２２の処理へ移行する。これにより、ストーリー情報の送信要求が、基地局６０および無線通信ネットワーク７０を介して、情報提供サーバ５０へ送信される。
【０１１９】
情報提供サーバ５０は、このナビゲーション装置１０からのストーリー情報の送信要求を受信することにより、ＣＰＵ５１によって観光ルート送信処理（図６参照）を実行し、ストーリー情報格納領域５３ａに格納されているストーリー情報の中から、ストーリー情報の送信要求によって示されるストーリー情報をナビゲーション装置１０へ送信する。
【０１２０】
ここで、図６を参照して、情報提供サーバ５０内のＣＰＵ５１により実行される観光ルート送信処理について説明する。図６は、その観光ルート送信処理を示すフローチャートである。
【０１２１】
この観光ルート送信処理では、まず、ナビゲーション装置１０より受信したストーリー情報の送信要求により指示された、送信すべきストーリー情報を特定し（Ｓ６１）、その特定したストーリー情報をストーリー情報格納領域から読み出す（Ｓ６２）。そして、読み出したストーリー情報をナビゲーション装置１０へ送信して（Ｓ６３）、この観光ルート送信処理を終了する。
【０１２２】
これにより、ナビゲーション装置１０には、乗員によって選択されたストーリーに対応するストーリー情報が送信される。ナビゲーション装置１０は、このストーリー情報を基に、観光ルートの提案および各観光場所の経路誘導を実行することになる。
【０１２３】
図３に戻り、ナビゲーション装置１０内のＣＰＵ１１により実行される観光ルート案内処理の説明を、Ｓ２２の処理から続ける。Ｓ２２の処理では、計時回路１１ａのタイマ機能の動作を開始させる（Ｓ２２）。この処理は、Ｓ２１の処理によってストーリー情報の送信要求を情報提供サーバ５０に対して送信した後、そのストーリー情報の送信要求に対する情報提供サーバ５０からの応答が所定時間内にあるか否かを、Ｓ２３およびＳ２４の処理により判断するためのものである。
【０１２４】
そして、情報提供サーバ５０からの応答があったか否かを通信制御装置１６の状態に基づいて判断し（Ｓ２３）、情報提供サーバ５０からの応答がなければ、Ｓ２２の処理による計時回路１１ａのタイマ機能の動作開始後、所定時間経過したか否かを計時回路１１ａの状態から判別する（Ｓ２４）。
【０１２５】
その結果、所定時間経過していなければ（Ｓ２４：Ｎｏ）、Ｓ２３の処理に回帰し、再び、情報提供サーバ５０からの応答があったか否かを判断する。一方、Ｓ２４の処理の結果、所定時間経過していれば（Ｓ２４：Ｙｅｓ）、通信上もしくは情報提供サーバ５０における障害によって、情報提供サーバ５０から目的地候補の提供を受けることができない状態にあると判断し、ＬＣＤ１８上に「タイムアウトエラー」を表示して（Ｓ２５）、この観光ルート案内処理を終了する。このタイムアウトエラーの表示により、乗員に対して、情報提供サーバ５０との間のデータの送受信に問題があることを認識させることができる。
【０１２６】
これに対し、Ｓ２４の処理の結果、情報提供サーバ５０からの応答があったと判断される場合は（Ｓ２４：Ｙｅｓ）、ストーリー情報の取得要求に応じて情報提供サーバ５０より送信されたストーリー情報を受信する（Ｓ２６）。ここで受信されたストーリー情報は、ストーリー情報格納領域１３ａに格納される。
【０１２７】
そして、ストーリー情報格納領域１３ａに格納されたストーリー情報に含まれる観光ルート情報に従って、ルート案内処理を実行する（Ｓ２７）。このルート案内処理は、観光ルート情報に示される最後の観光場所に到着するまでの間、他の処理（Ｓ２８及びＳ２９の処理）と共に繰り返し実行されるもので、この処理では、観光ルート情報に示される各観光場所を、その観光ルート情報で示される順番で巡回する場合の経路を、道路地図データベース１４ａの地図情報および道路情報に基づいて探索し、その探索した経路を地図と共にＬＣＤ１８に表示することで、乗員に対し、観光ルートの提案を行う。
【０１２８】
また、このルート案内処理では、観光ルート情報に示される各観光場所をその観光ルートによって定められた順番に目的地として設定しながら、車両の現在地からその目的地（観光場所）までの経路案内を行う。
【０１２９】
即ち、このルート案内処理では、最初の目的地として、観光ルート情報に一番目に設定された観光場所を設定して、その一番目の観光場所までの経路案内を実行する。そして、一番目の観光場所に車両が到着すると、次の目的地として、観光ルート情報に二番目に設定された観光場所を設定して、その二番目の観光場所までの経路案内を実行する。その後、この目的地の設定と、その設定された目的地（観光場所）までの経路案内とを、観光ルート情報に示された最後の観光場所に車両が到着するまで繰り返し実行する。
【０１３０】
これにより、各観光場所までの経路誘導が、観光ルート情報に従った順番で行われる。そして、この観光ルート情報に示された各観光場所を巡回する順番は、上述したように、ストーリーに沿って設定されたものである。よって、乗員が、その経路誘導に従って、もしくは、ＬＣＤ１８により乗員に提案された観光ルートに従って、各観光場所を巡回することにより、乗員は、そのストーリーの内容を感じながら、興味を持って、それぞれの観光場所を巡回することができる。よって、乗員に興味を持たせながら観光場所の巡回をさせることができる。
【０１３１】
Ｓ２７の処理の後、ストーリー情報に基づいて、ＬＣＤ１８上に表示すべき関連情報があるか否かを判断する（Ｓ２８）。具体的には、Ｓ２７の処理において、観光ルート情報に示される次の観光場所が経路案内の目的地として設定された場合、その目的地として設定された観光場所に対応付けられた関連情報があれば、ＬＣＤ１８上に表示すべき関連情報があると判断する。また、ストーリー情報に含まれる関連情報に対応付けられた、その関連情報と関係する場所の位置情報に基づき、車両の現在地が一の関連情報に関連する場所から所定距離範囲内にあると判断される場合に、ＬＣＤ１８上に表示すべき関連情報があると判断する。
【０１３２】
そして、Ｓ２８の処理の結果、ＬＣＤ１８上に表示すべき関連情報があると判断される場合は（Ｓ２８：Ｙｅｓ）、その関連情報に関係する場所の位置（関連情報が、次に向かうべき観光場所に対応付けられたものであれば、その観光場所の位置）を地図で示しながらＬＣＤ１８上に表示して（Ｓ２９）、Ｓ３０の処理へ移行する。
【０１３３】
これにより、例えば、次に向かうべき観光場所の関連情報がＬＣＤ１８上に表示されるので、乗員は、その観光場所に向かいながらその観光場所の関連情報を見ることによって、その観光場所に対する興味を強くすることができる。また、観光ルートに入っていない場所に関係する関連情報も、その場所に車両が近づいた場合に、その場所を地図で示しながらＬＣＤ１８上に表示されるので、乗員は、今回の観光ルートにおける付加的な情報として、それらの関連情報を知ることができ、乗員に対して更なる興味を持たせながら、観光ルートを巡回させることができる。また、関連情報の関係する場所を地図で示しながら、その関連情報が表示されるので、乗員は、その関連情報に強く興味を持った場合に、その関連情報に関連のある場所へ、容易に向かうことができる。
【０１３４】
一方、Ｓ２８の処理の結果、表示すべき関連情報がなければ（Ｓ２８：Ｎｏ）、Ｓ２９の処理をスキップして非実行とし、Ｓ３０の処理へ移行する。Ｓ３０の処理では、車両の現在地の位置情報を現在位置検出装置１５より取得した上で、観光ルート情報に示される最後の観光場所に到着したか否かを判別する（Ｓ３０）。そして、最後の観光場所に到着していなければ（Ｓ３０：Ｎｏ）、Ｓ２７の処理へ回帰し、引き続き、Ｓ２７〜Ｓ２９の処理を実行する。一方、最後の観光場所に到着したと判別される場合は（Ｓ３０：Ｙｅｓ）、観光ルート情報により示された各観光場所の経路誘導を終了した上で、観光ルート案内処理を終了する。
【０１３５】
以上、本実施形態におけるナビゲーションシステム１によれば、ナビゲーション装置１０内のＣＰＵ１１により観光ルート案内処理が実行されることによって、情報提供サーバ５０よりストーリー情報が生成される。そして、ナビゲーション装置は、このストーリー情報を情報提供サーバ５０より受信することによって、そのストーリー情報に含まれる各観光場所の巡回行程を示した観光ルート情報に基づき、乗員に対してその観光ルートをＬＣＤ１８上に表示して車両の乗員に提案すると共に、その観光ルートに示される順番に各観光場所への経路誘導を行う。
【０１３６】
ここで、観光ルート情報に示される観光ルートは、情報提供サーバ５０において、歴史上の人物の年表に基づきその人物に関係するイベントを発生順にまとめたストーリーに沿って各観光場所を経由するように、その観光場所の経由順番（観光ルート）が設定される。よって、乗員は、観光ルート情報によって提案され、また、経路誘導される順番に従って各観光場所を巡回することにより、その歴史上の人物に関連するイベントを発生順にまとめたストーリーを感じながら、興味を持って各観光場所を巡回することができる。従って、ナビゲーションシステム１によれば、乗員に興味を持たせながら観光場所を巡回させることが可能な観光ルートを提案できる。
【０１３７】
また、情報提供サーバ５０により、車両の現在地の位置情報を基に、その車両の現在地から所定範囲に含まれる観光場所が抽出され、それらの観光場所に最も共通する歴史上の人物、即ち、その車両の現在地付近に最もゆかりのある人物が抽出される。そして、その最もゆかりのある人物の年表に基づいて、その人物に関連するイベントを発生順にまとめたストーリーが生成され、そのストーリーに沿って観光ルートが設定される。これにより、乗員は、その観光ルートに従って各観光場所を巡回することにより、車両の現在地付近に最もゆかりのある人物に対して生成されたストーリーを感じながら、より興味を持って各観光場所を巡回することができる。よって、乗員により興味を持たせながら観光場所を巡回させることが可能な観光ルートを提案できる。
【０１３８】
また、乗員が目的地を設定しなくても、ナビゲーション装置１０において、観光ルート情報に示される各観光場所を観光ルートによって定められた順番に目的地として設定しながら、車両の現在地からその目的地（観光場所）までの経路案内を行うので、目的地の設定に伴うユーザの負担を軽減することができる。
【０１３９】
ここで、上記実施形態に記載の「歴史上の人物」は、特許請求の範囲に記載の「事柄」に対応し、上記実施形態に記載の「イベント」は、特許請求の範囲に記載の「出来事」に対応し、上記実施形態に記載の「ストーリー」は、特許請求の範囲に記載の「筋書き」に対応する。
【０１４０】
以上、実施の形態に基づき本発明を説明したが、本発明は上記実施形態に何ら限定されるものではなく、本発明の趣旨を逸脱しない範囲内で種々の改良変形が可能であることは容易に推察できるものである。例えば、上記実施形態で挙げた数値は一例であり、他の数値を採用することは当然可能である。
【０１４１】
上記実施形態では、観光場所データベース５４ｂが情報提供サーバ５０内に設けられたＨＤＤ５４に格納される場合について説明したが、必ずしもこれに限られるものではなく、情報提供サーバ５０がアクセス可能な外部記憶装置を設け、その外部記憶装置に観光場所データベース５４ｂと同等のデータベースを格納してもよい。同様に、上記実施形態では、年表データベース５４ｃが情報提供サーバ５０内に設けられたＨＤＤ５４に格納される場合について説明したが、必ずしもこれに限られるものではなく、情報提供サーバ５０がアクセス可能な外部記憶装置を設け、その外部記憶装置に年表データベース５４ｃと同等のデータベースを格納してもよい。
【０１４２】
上記実施形態では、ナビゲーションシステム１が主として車両に設けられたナビゲーション装置１０と車両外に設けられた情報提供サーバ５０によって構成される場合について説明したが、必ずしもこれに限られるものではなく、車両内に設けられた車載装置のみによって構成されてもよい。この場合、ナビゲーション装置１０のみで構成されてもよいし、ナビゲーション装置１０と、その他の車載装置とによって構成されてもよい。
【０１４３】
ナビゲーション装置１０のみによってナビゲーションシステム１が構成される場合、観光場所データベース５４ｂに相当するデータベースと、図２に示す年表データベース５４ｃに相当するデータベースとをＨＤＤ１４に設けた上で、観光ルート表示キー２０ａが乗員によって操作された場合にＣＰＵ１１によって実行される観光ルート提案処理の中で、図３に示すＳ１１〜Ｓ１３の処理を実行した後、Ｓ１３：Ｙｅｓの分岐に続いて、図４に示すＳ４２〜Ｓ５３に相当する処理を実行し、その後、図３に示すＳ１９，Ｓ２０の処理を実行し、Ｓ２０：Ｙｅｓの分岐に続いて図６に示すＳ６２に相当する処理を実行して、図３に示すＳ２７〜Ｓ３０の処理を実行するようにしてもよい。
【０１４４】
また、ナビゲーション装置１０とその他の車載装置によってナビゲーションシステム１が構成される場合は、その他の車載装置の構成を図１に示す情報提供サーバ５０と同等の構成として、その他の車載装置において図４に示す観光ルート提案処理や図６に示す観光ルート送信処理を実行させてもよい。
【０１４５】
また、ナビゲーションシステム１が車両内に設けられる場合において、観光場所データベース５４ｂに相当するデータベース及び図２に示す年表データベース５４ｃの少なくともいずれかは、ナビゲーション装置１０または車載装置の外部に設けられた外部記憶装置に格納されてもよい。
【０１４６】
また、ナビゲーション装置１０に代えて、携帯電話機、ノート型パーソナルコンピュータ、ＰＤＡ（Ｐｅｒｓｏｎａｌ  Ｄｉｇｉｔａｌ  Ａｓｓｉｓｔａｎｔｓ）などの移動可能な移動端末装置を用いてナビゲーションシステム１を構成してもよい。この場合、移動端末装置と情報提供サーバ５０とによってナビゲーションシステム１を構成してもよいし、移動端末装置のみによってナビゲーションシステム１を構成してもよい。また、観光場所データベース５４ｂに相当するデータベース及び図２に示す年表データベース５４ｃに相当するデータベースの少なくともいずれかが格納された外部記憶装置を更に備えて、ナビゲーションシステム１を構成してもよい。少なくとも移動端末装置と情報提供サーバ５０とによってナビゲーションシステム１を構成する場合は、移動端末装置の構成を図１に示すナビゲーション装置１０と同等の構成とし、移動端末装置において図３に示す観光ルート案内処理を実行させてもよい。この場合、車両の現在地の位置情報ではなく、移動端末装置の位置情報と合わせて観光ルート提案要求を移動端末装置から情報提供サーバ５０へ送信するようにしてもよい。
【０１４７】
上記実施形態では、情報提供サーバ５０において、車両の現在地から所定の範囲に含まれる観光場所を抽出して、各観光場所に最も共通する歴史上の人物を抽出することにより、車両の現在地付近にゆかりのある人物を特定する場合について説明したが、その車両の現在地付近にゆかりのある人物を特定する方法として、その他の方法が用いられてもよい。たとえば、情報提供サーバ５０もしくは外部記憶装置に、各地域毎に、その地域にゆかりのある人物を登録した人物データベースを用意しておき、車両の現在地の位置情報に基づいて、その人物データベースから、その車両の現在地のある地域にゆかりのある人物を特定するようにしてもよい。これによっても、車両の現在地のある地域にゆかりのある人物に関連するイベントがまとめられたストーリーを生成し、そのストーリーに沿った観光ルートを設定することができるので、車両の乗員は、その観光ルートに従って各観光場所を巡回することにより、車両の現在地のある地域にゆかりのある人物をストーリーに沿って感じながら、興味を持って各観光場所を巡回することができる。よって、乗員により強い興味を持たせながら観光場所を巡回させることが可能な観光ルートを案内することができる。
【０１４８】
また、ナビゲーション装置１０に格納されている道路地図データベース１４ａの地図情報に、各地域に対応付けてその地域にゆかりのある人物を登録しておき、ナビゲーション装置１０の中で、車両の現在地のある地域にゆかりのある人物を特定してもよい。この場合、ナビゲーション装置１０から情報提供サーバ５０へ観光ルート提案要求を送信する際に、車両の現在地の位置情報に代えて、車両の現在地のある地域にゆかりのある人物の人物情報を合わせて送信するようにしてもよい。そして、情報提供サーバ５０は、その人物情報に基づいて、車両の現在地のある地域にゆかりのある人物の年表を年表データベース５４ｃから取得するようにしてもよい。なお、上述した人物データベースや、地域にゆかりのある人物の登録された道路地図データベース１４ａが、請求項３に記載の「場所情報抽出手段」に対応する。
【０１４９】
上記実施形態では、車両が観光地にある場合に、その車両の現在地の位置情報と合わせてナビゲーション装置１０から情報提供サーバ５０に対して観光ルート提案要求を送信する場合について説明したが、必ずしもこれに限られるものではなく、車両の現在地に関わらず乗員が指定した場所の位置情報と合わせてナビゲーション装置１０から情報提供サーバ５０に対して観光ルート提案要求を送信し、情報提供サーバ５０がその乗員が指定した場所の位置情報に基づいてストーリー情報を生成することで、そのストーリー情報に従って、ナビゲーション装置１０が乗員の指定した場所における観光ルートの提案を行うようにしてもよい。これにより、乗員が観光地に出発する前に、その観光地における観光ルーツを事前に検討することができ、乗員の興味をより強く持たせることができる。
【０１５０】
上記実施形態では、情報提供サーバ５０において、車両の現在地付近にゆかりのある歴史上の人物を特定し、その人物に関連するイベントからストーリーを生成して、観光ルートを設定する場合について説明したが、必ずしもこれに限られるものではなく、車両の現在地付近に関連の深い時代や、その付近に発生した事件などに関連するイベントからストーリーを生成して、観光ルートを設定してもよい。これにより、歴史上の人物に関わらず、いろいろな事柄に対応した観光ルートが設定されるので、より乗員の好みに応じた観光ルートの設定を行うことができる。
【０１５１】
上記実施形態では、車両の現在地付近に最もゆかりのある歴史上の人物を一人だけ抽出してストーリーを生成する場合について説明したが、必ずしもこれに限られるものではなく、車両の現在地付近にゆかりのある歴史上の人物を複数抽出したり、その他、車両の現在地付近にゆかりのある時代や事件なども含めて複数抽出して、これらに関係するストーリーをそれぞれ生成したうえで、複数の観光ルートを設定するようにしてもよい。これにより、より乗員の好みに応じた観光ルートの設定を行うことができる。
【０１５２】
上記実施形態では、歴史上の人物に関連するイベントを発生順に並べてストーリーを生成する場合について説明したが、必ずしもこれに限られるものではなく、その並べる順番はストーリーの内容に合わせて適宜設定されるのものであってもよい。例えば、その人物における最も有名なイベントを最後にしたうえで、そのイベントに対して関連の弱いものから強いものへと順番にイベントを並べてもよい。
【０１５３】
上記実施形態では、本発明をナビゲーションシステム１に適用した場合について説明したが、必ずしもこれに限られるものではなく、目的地までの経路誘導機能を有しておらず、車両に搭乗している乗員に対して観光ルート（観光場所の巡回行程）の案内を行う機能を有する行程案内システムに、本発明は適用可能である。この場合、行程案内システムは、ナビゲーション装置以外の車載装置または移動端末装置と情報提供サーバとによって構成されるものであってもよいし、ナビゲーション装置以外の車載装置または移動端末のみによって構成されるものであってもよい。
【符号の説明】
【０１５４】
１                ナビゲーションシステム（目的地提示システム）
１５              現在位置検出装置（現在位置検出手段）
５４ｂ            観光場所データベース（場所情報格納手段）
５４ｃ            年表データベース（出来事情報格納手段）
Ｓ１１            （領域設定手段）
Ｓ２７            （行程案内手段，目的地設定手段，経路出力手段，目的地設定制御手段）
Ｓ４２            （場所情報抽出手段）
Ｓ４３            （事柄抽出手段、事柄設定手段）
Ｓ４４            （出来事情報抽出手段）
Ｓ４５〜Ｓ５０    （筋書き生成手段）
Ｓ５１            （配列手段）
【図１】
2010236938.tif 000003
【図２】
2010236938.tif 000004
【図３】
2010236938.tif 000005
【図４】
2010236938.tif 000006
【図５】
2010236938.tif 000007
【図６】
2010236938.tif 000008